(57)【要約】【課題】照明負荷の点灯中に過負荷状態になると過負荷状態を報知できる調光装置及びそれを用いた照明システムを提供する。【解決手段】調光回路駆動部３１は、照明負荷１０を調光する調光回路３２を有し、制御信号に応じて調光回路３２を制御して照明負荷１０の調光レベルを変化させる。リレー駆動部４１は、照明負荷１０と調光回路３２との間に電気的に接続されているリレー４２を有し、制御信号に応じてリレー４２を制御する。計測部５は、照明負荷１０の負荷状態を計測する。制御部２は、計測部５の計測結果から照明負荷１０が過負荷状態になっていると判断すると、照明負荷１０の過負荷状態を報知するための報知部７を動作させるように構成されている。【選択図】図１
2015173029.tif 000002
【特許請求の範囲】
【請求項１】
照明負荷の点灯状態を制御するための制御信号を受信する通信部と、
前記照明負荷を調光する調光回路を有し、前記制御信号に応じて前記調光回路を制御して前記照明負荷の調光レベルを変化させる調光回路駆動部と、
前記照明負荷と前記調光回路との間に電気的に接続されているリレーを有し、前記制御信号に応じて前記リレーのオン／オフを制御するリレー駆動部と、
前記照明負荷の負荷状態を計測する計測部と、
前記計測部の計測結果から前記照明負荷が過負荷状態になっていると判断すると、前記照明負荷の過負荷状態を報知するための報知部に報知動作を行わせる制御部と
を備えていることを特徴とする調光装置。
【請求項２】
前記計測部は、前記照明負荷に流れる電流の電流値を計測するように構成され、
前記制御部は、前記電流の電流値が所定の規定電流値を超えると前記照明負荷が過負荷状態になっていると判断するように構成されていることを特徴とする請求項１に記載の調光装置。
【請求項３】
前記計測部は、前記調光回路の回路素子の温度を計測するように構成され、
前記制御部は、前記回路素子の温度が所定の規定温度を超えると前記照明負荷が過負荷状態になっていると判断するように構成されていることを特徴とする請求項１に記載の調光装置。
【請求項４】
前記制御部は、前記照明負荷が過負荷状態になっていると判断すると、前記リレー駆動部を制御して前記リレーのオン／オフ状態を交互に切り替えさせて前記照明負荷を点滅させるように構成されていることを特徴とする請求項１乃至３の何れか１項に記載の調光装置。
【請求項５】
前記制御部は、前記照明負荷が過負荷状態になっていると判断すると、前記調光回路駆動部を制御して、前記照明負荷が過負荷状態にならない所定の第１調光レベルで調光点灯させるように構成されていることを特徴とする請求項１乃至４の何れか１項に記載の調光装置。
【請求項６】
前記制御部は、前記照明負荷が過負荷状態になっていると判断すると、調光レベルの上限を、前記照明負荷が過負荷状態にならない所定の第２調光レベルに制限するように構成されていることを特徴とする請求項５に記載の調光装置。
【請求項７】
通信線に電気的に接続されているコントローラと、
前記通信線に電気的に接続されている請求項１乃至６の何れか１項に記載の調光装置と、
前記調光装置によって制御される照明負荷と、
前記通信線に電気的に接続されていて報知動作を行う報知装置を備え、
前記調光装置は、前記照明負荷が過負荷状態になっていると判断すると前記コントローラに報知信号を送信し、
前記コントローラは、前記報知信号を受信すると、報知動作を行わせる制御信号を前記報知装置に送信して、前記報知装置に報知動作を行わせるように構成されていることを特徴とする照明システム。
【発明の詳細な説明】
【技術分野】
【０００１】
本発明は一般に、調光装置及びそれを用いた照明システム、より詳細には照明負荷を調光する調光装置及びそれを用いた照明システムに関する。
【背景技術】
【０００２】
従来、照明負荷を制御する制御部の動作モードを、照明負荷を全点灯させる点検モードに切り替えた状態で、負荷電流の測定値と規定値とを比較して負荷電流の電流値が異常か否かを判断している調光装置があった（例えば特許文献１参照）。
【先行技術文献】
【特許文献】
【０００３】
【特許文献１】特開２０１２−６９３９８号公報
【発明の概要】
【発明が解決しようとする課題】
【０００４】
特許文献１に記載の調光装置では、負荷電流の電流値を測定する際に通常モードから、照明負荷を全点灯させる点検モードに切り替えている。しかしながら、例えば２４時間営業の商業施設等では通常モードから点検モードに切り替えることが難しいため、照明負荷を通常モードで点灯させている状態でも調光制御部が過負荷状態になっているか否かを知りたいという要望があった。
【０００５】
本発明は上記課題に鑑みて為され、照明負荷の点灯中に過負荷状態になると過負荷状態を報知できる調光装置及びそれを用いた照明システムを提供することを目的とする。
【課題を解決するための手段】
【０００６】
上記課題を解決するために、本発明の調光装置は、通信部と、調光回路駆動部と、リレー駆動部と、計測部と、制御部とを備えている。通信部は、照明負荷の点灯状態を制御するための制御信号を受信する。調光回路駆動部は、前記照明負荷を調光する調光回路を有し、前記制御信号に応じて前記調光回路を制御して前記照明負荷の調光レベルを変化させる。リレー駆動部は、前記照明負荷と前記調光回路との間に電気的に接続されているリレーを有し、前記制御信号に応じて前記リレーのオン／オフを制御する。計測部は、前記照明負荷の負荷状態を計測する。制御部は、前記計測部の計測結果から前記照明負荷が過負荷状態になっていると判断すると、前記照明負荷の過負荷状態を報知するための報知部に報知動作を行わせるように構成されていることを特徴とする。
【０００７】
この発明において、前記計測部は、前記照明負荷に流れる電流の電流値を計測するように構成され、前記制御部は、前記電流の電流値が所定の規定電流値を超えると前記照明負荷が過負荷状態になっていると判断するように構成されていることも好ましい。
【０００８】
この発明において、前記計測部は、前記調光回路の回路素子の温度を計測するように構成され、前記制御部は、前記回路素子の温度が所定の規定温度を超えると前記照明負荷が過負荷状態になっていると判断するように構成されていることも好ましい。
【０００９】
この発明において、前記制御部は、前記照明負荷が過負荷状態になっていると判断すると、前記リレー駆動部を制御して前記リレーのオン／オフ状態を交互に切り替えさせて前記照明負荷を点滅させるように構成されていることも好ましい。
【００１０】
この発明において、前記制御部は、前記照明負荷が過負荷状態になっていると判断すると、前記調光回路駆動部を制御して、前記照明負荷が過負荷状態にならない所定の第１調光レベルで調光点灯させるように構成されていることも好ましい。
【００１１】
この発明において、前記制御部は、前記照明負荷が過負荷状態になっていると判断すると、調光レベルの上限を、前記照明負荷が過負荷状態にならない所定の第２調光レベルに制限するように構成されていることも好ましい。
【００１２】
本発明の照明システムは、通信線に電気的に接続されているコントローラと、上記に記載の調光装置と、前記調光装置によって制御される照明負荷と、前記通信線に電気的に接続されていて報知動作を行う報知装置を備えている。前記調光装置は、前記照明負荷が過負荷状態になっていると判断すると前記コントローラに報知信号を送信する。前記コントローラは、前記報知信号を受信すると、報知動作を行わせる制御信号を前記報知装置に送信して、前記報知装置に報知動作を行わせるように構成されていることを特徴とする。
【発明の効果】
【００１３】
本発明の調光装置によれば、制御部は、照明負荷の負荷状態を計測する計測部の計測結果から照明負荷が過負荷状態になっていると判断すると報知部を動作させるので、照明負荷の点灯中に過負荷状態になると過負荷状態を報知できる。
【００１４】
本発明の照明システムによれば、上記の調光装置を備えているので、照明負荷の点灯中に過負荷状態になると過負荷状態を報知できる照明システムを実現できる。
【図面の簡単な説明】
【００１５】
【図１】本実施形態に係る調光装置の概略ブロック図である。
【図２】本実施形態に係る照明システムの概略ブロック図である。
【図３】本実施形態に係る照明システムにおける過負荷時及び適正負荷に復帰した時のシーケンス図である。
【発明を実施するための形態】
【００１６】
本発明に係る調光装置を備えた照明システムの実施形態を図１〜３に基づいて説明する。本発明の照明システムは、調光可能な複数の照明負荷を備えていて、複数の照明負荷を点灯又は消灯させることができる。本発明の照明システムは、例えば商業施設やオフィス等に使用される。尚、本実施形態では、説明のために１台の調光装置と、１台の操作装置とを備えた照明システムを示しているが、照明システムは複数台の調光装置と、複数台の操作装置とを備えていてもよい。
【００１７】
本実施形態の照明システムは、例えば壁面等に取り付けられた操作装置を操作して照明負荷をオン／オフしたり、照明負荷の調光レベルを設定したりすることができる。照明負荷は例えばＬＥＤ（Light Emitting Diode）や白熱電球やハロゲンランプ等の光源を備えている。尚、本実施形態における複数の照明負荷１０は、３つの照明負荷１０１〜１０３で構成されているが、照明負荷の数は３つに限定されず、適宜の数で構成されていてもよい。
【００１８】
照明システムは、図２に示すように、２線式の通信線Ｌ１にそれぞれ接続されたコントローラ１１と調光装置１と報知装置１３と、調光装置１によって制御される照明負荷１０とを備えている。この照明システムはさらに通信線Ｌ１を介してコントローラ１１に接続された操作装置１２を備えている。調光装置１は、照明負荷１０が過負荷状態になっていると判断するとコントローラ１１に報知信号ＳＮ２を送信し、コントローラ１１は報知信号ＳＮ２を受信すると報知装置１３に報知動作を行わせるように構成されている。
【００１９】
操作装置１２は、照明負荷１０のオン／オフ状態又は調光レベルを操作するための操作機器で構成されている。操作装置１２は複数のスイッチ（図示せず）を備え、スイッチが操作されると、操作に応じた多重伝送信号をコントローラ１１に送信する。
【００２０】
コントローラ１１と、調光装置１と、報知装置１３と、操作装置１２とには、各々個別の識別情報（アドレス等）が設定されており、このアドレスを用いてコントローラ１１は、通信線Ｌ１に接続されている各装置を個別に認識している。コントローラ１１は、調光装置１、操作装置１２、報知装置１３との間で多重伝送信号の通信を行っている。
【００２１】
コントローラ１１の記憶部（図示せず）には、操作装置１２が有する複数のスイッチ（図示せず）の各々に設定されたアドレスと調光装置１のアドレスとが対応付けて記憶されている。コントローラ１１は、操作装置１２から送信された伝送信号を受信すると、この伝送信号に含まれるスイッチのアドレスを基に記憶部を参照し、制御対象の調光装置１のアドレスを取得し、この調光装置１に宛てて制御信号を送信する。
【００２２】
コントローラ１１から制御信号が送信されると、制御信号のアドレスに対応する調光装置１が制御信号を受信し、制御信号に含まれるアドレスに基づいて照明負荷１０の制御を行う。つまり、操作装置１２のスイッチを操作することにより、このスイッチに割り当てられている照明負荷１０の点灯状態を制御することができる。
【００２３】
コントローラ１１には電源２２が電気的に接続されていて、コントローラ１１が動作するための電力が供給されているほかにも、通信線Ｌ１に電気的に接続されている各種機器に電力を供給することができるように構成されている。
【００２４】
報知装置１３はＬＥＤ（Light Emitting Diode）（図示せず）を備えていて、コントローラ１１から送信される制御信号に応じてＬＥＤのオン／オフを制御する。ＬＥＤは、例えば本実施形態の照明システムが備えている照明負荷１０の数と同じになるように設けられている。報知装置１３は、操作装置１２が設置されている場所とは異なる場所（例えば建物内に設置されている各種機器の監視を集中的に行う監視室等）に設置されている。尚、ＬＥＤの数は照明負荷１０の数に限定されず、適宜の数設けられていてもよい。また、報知装置１３の動作については後述する。
【００２５】
調光装置１は、電線Ｌ２によって照明負荷１０と電気的に接続されている。調光装置１には電源２１が電気的に接続されていて、調光装置１は電源２１から供給される電力を用いて照明負荷１０を点灯させる。
【００２６】
調光装置１は、図１に示すように、通信部８と、調光回路駆動部３１と、リレー駆動部４１と、計測部５と、制御部２とを備えている。本実施形態の調光装置１はさらに、通信線Ｌ１を介して入力される制御信号から動作電力を得る電源回路６と、報知動作を行う報知部７とを備えている。
【００２７】
調光回路３２は、照明負荷１０に流れる負荷電流を制御する回路素子としてＭＯＳＦＥＴ（Metal-Oxide-Semiconductor Field-Effect Transistor）のような半導体スイッチ（図示せず）を備えている。
【００２８】
調光回路駆動部３１は、調光回路３２を有し、調光回路３２を制御して照明負荷１０の調光レベルを変化させる。調光回路駆動部３１は、調光レベルに応じたデューティ比で半導体スイッチをＰＷＭ（Pulse Width Modulation）制御して調光信号ＳＮ１を調光回路３２に出力させる。調光回路３２は照明負荷１０に調光信号ＳＮ１を出力する。尚、調光信号ＳＮ１はＰＷＭ制御された信号に限定されず、位相制御による信号や、直流電圧による信号等の適宜の信号でもよい。
【００２９】
調光回路駆動部３１と調光回路３２とで１組の調光部３が構成されている。尚、本実施形態の照明システムは、調光部３を１つ備えているが、調光部３を複数備えていてもよい。
【００３０】
リレー駆動部４１は、照明負荷１０と調光回路３２との間に電気的に接続されているリレー４２を有する。リレー４２は照明負荷１０と調光回路３２との間に直列に接続されている。リレー４２は、リレー駆動部４１の制御に応じて調光回路３２と照明負荷１０との間をオン／オフする。リレー駆動部４１がリレー４２をオンにすると照明負荷１０が点灯し、リレー駆動部４１がリレー４２をオフにすると照明負荷１０が消灯する。
【００３１】
リレー駆動部４１とリレー４２とで１組のリレー部４が構成されている。尚、本実施形態の照明システムは、リレー部４を１つ備えているが、リレー部４を複数備えていてもよい。
【００３２】
計測部５は、照明負荷１０の負荷状態を計測する。計測部５は、電流計測部５１と、温度計測部５２とを備えている。
【００３３】
電流計測部５１はホールＩＣ（図示せず）を備えていて、電線Ｌ２を介して照明負荷１０に流れる電流Ｉ１の電流値を計測する。電流計測部５１は、計測した電流Ｉ１の電流値情報ＳＮ１１を制御部２に出力する。尚、電流計測部５１は、電線Ｌ２に抵抗（図示せず）を直列に接続して抵抗の電圧降下により電流Ｉ１の電流値を計測する等、適宜の方法で電流Ｉ１の電流値を計測してもよい。
【００３４】
温度計測部５２は、調光回路３２において照明負荷１０に流れる負荷電流を制御する回路素子（本実施形態では半導体スイッチ）の表面温度を計測するサーミスタ（図示せず）を有する。温度計測部５２は、サーミスタによって計測された温度を電気信号に変換して制御部２に出力する回路で構成されている。尚、温度計測部５２はサーミスタを有することに限定されず、計測した温度を電気信号に変換する適宜の構成でよい。
【００３５】
通信部８は、例えばマイクロコンピュータ（図示せず）を備えている。通信部８は、通信線Ｌ１を介してコントローラ１１と通信する。通信部８は、コントローラ１１が送信した制御信号を受信すると、制御信号に含まれる情報を制御部２に出力する。
【００３６】
制御部２は、マイクロコンピュータ（図示せず）等で構成される。制御部２は、ＲＯＭ（図示せず）に記憶されているプログラムを読み込んで実行することにより動作する。制御部２は、通信部８が受信した制御信号に応じて調光部３とリレー部４とを制御することにより照明負荷１０のオン／オフ及び調光制御を行う。
【００３７】
制御部２はＥＥＰＲＯＭ（Electrically Erasable Programmable Read-Only Memory）等で構成されている記憶部（図示せず）を備えていて、記憶部には所定の規定電流値と、所定の規定温度とが記憶されている。制御部２は、所定の規定電流値又は所定の規定温度の少なくとも一方を用いて照明負荷１０の過負荷状態を検知すると、報知部７を点灯又は点滅させる。制御部２が照明負荷１０の過負荷状態を検知する動作については後述する。
【００３８】
制御部２は、計測部５の計測結果から照明負荷１０が過負荷状態になっていると判断すると、照明負荷１０の過負荷状態を報知するように報知部７を動作させる。
【００３９】
報知部７は例えば、ブザー（図示せず）や、報知部７の外部に露出するように取り付けられたＬＥＤ（Light Emitting Diode）（図示せず）等を備えている。報知部７は、制御部２の制御に応じてブザーを鳴らしたりＬＥＤを点灯させたり等、周囲に報知する動作を行う。尚、報知部７の報知動作はブザーを鳴らしたりＬＥＤを点灯させたりすることに限定されず、周囲に対して報知するような適宜の構成及び動作でもよい。
【００４０】
次に、制御部２が照明負荷１０の過負荷状態を検知する動作及び照明負荷１０の過負荷状態の検知後の動作について説明する。
【００４１】
制御部２の記憶部（図示せず）には所定の規定電流値が記憶されている。制御部２は電流計測部５１から入力される電流値情報ＳＮ１１と所定の規定電流値とを比較している。言い換えると、電流計測部５１と制御部２とによって照明負荷１０の負荷状態が計測されている。電流値情報ＳＮ１１が所定の規定電流値を超えている場合には、制御部２は照明負荷１０が過負荷状態であると判断する。
【００４２】
また制御部２の記憶部には所定の規定温度が記憶されている。制御部２は温度計測部５２から入力される温度情報ＳＮ１２と所定の規定温度とを比較している。言い換えると、温度計測部５２と制御部２とによって照明負荷１０の負荷状態が計測されている。負荷が大きくなると電流が増え、半導体スイッチの温度が上昇する。温度情報ＳＮ１２が所定の規定温度を超えている場合には、制御部２は照明負荷１０が過負荷状態であると判断する。
【００４３】
制御部２は照明負荷１０が過負荷状態であると判断すると、報知部７に報知動作を行わせる。報知部７は、操作装置１２を操作したユーザに過負荷状態であることを報知するので、ユーザは過負荷状態に気が付いて照明負荷１０の調光レベルを下げたり消灯させたりして照明負荷１０の過負荷状態を解消することができる。
【００４４】
また制御部２は、照明負荷１０が過負荷状態であると判断すると、通信部８から通信線Ｌ１に報知信号ＳＮ２を送信させてもよい。報知信号ＳＮ２には、報知信号ＳＮ２を送信した調光装置１のアドレスと監視情報（過負荷状態を示す情報）とが含まれている。
【００４５】
ここで、報知信号ＳＮ２を受信した場合のコントローラ１１の動作について図３を参照して説明する。
【００４６】
まず、照明負荷１０が過負荷になっている状態における制御部２の動作について説明する。
【００４７】
制御部２は、電流値情報ＳＮ１１が所定の規定電流値を超えるか又は温度情報ＳＮ１２が所定の規定温度を超えると、照明負荷１０が過負荷状態であると判断する（ステップＳ１）。
【００４８】
制御部２は過負荷状態を通知する報知信号ＳＮ２を通信線Ｌ１に送信する（ステップＳ２）。
【００４９】
コントローラ１１は、報知信号ＳＮ２を受信すると、報知装置１３に対応付けられているアドレスに対して過負荷状態を報知させる制御信号を送信する（ステップＳ３）。報知装置１３は、この制御信号を受信すると報知装置１３のＬＥＤ（図示せず）を点灯又は点滅させる等の報知動作を行う（ステップＳ４）。報知装置１３は、制御信号に含まれるアドレスに対応するＬＥＤを点灯させるので、報知装置１３が設置されている場所（監視室等）にいるユーザは、過負荷状態になっている照明負荷１０の設置場所を特定できる。尚、報知装置１３は、制御信号に含まれるアドレスに対応するＬＥＤを点灯させることに限定されず、適宜のＬＥＤを点灯させてもよい。
【００５０】
例えばＬＥＤの点灯表示を見たユーザが、過負荷状態になっている照明負荷１０の調光レベルを下げたり消灯したりして照明負荷１０の過負荷状態を解消する（ステップＳ５）と、電流Ｉ１の電流値が小さくなる。電流計測部５１から入力される電流値情報ＳＮ１１が所定の規定電流値よりも小さくなると、制御部２は照明負荷１０の過負荷状態が解消されたと判断し、報知装置１３の報知動作を停止させる制御信号を通信線Ｌ１に送信する（ステップＳ６）。また制御部２は、照明負荷１０の過負荷状態が解消されたと判断すると、報知部７（図１参照）の報知動作を停止させる。尚、本実施形態の調光装置１は、電流と温度との両方を計測しているが、何れか一方のみから負荷状態を計測してもよい。
【００５１】
コントローラ１１は、報知装置１３の報知動作を停止させる制御信号を受信すると、報知装置１３の報知動作を停止させる制御信号を報知装置１３に送信する（ステップＳ７）。報知装置１３は、この制御信号を受信すると報知装置１３のＬＥＤを消灯させる（ステップＳ８）。
【００５２】
以上説明したように、調光装置１は、通信部８と、調光回路駆動部３１と、リレー駆動部４１と、計測部５と、制御部２とを備えている。通信部８は、照明負荷１０の点灯状態を制御するための制御信号を受信する。調光回路駆動部３１は、照明負荷１０を調光する調光回路３２を有し、制御信号に応じて調光回路３２を制御して照明負荷１０の調光レベルを変化させる。リレー駆動部４１は、照明負荷１０と調光回路３２との間に電気的に接続されているリレー４２を有し、制御信号に応じてリレー４２のオン／オフを制御する。計測部５は、照明負荷１０の負荷状態を計測する。制御部２は、計測部５の計測結果から照明負荷１０が過負荷状態になっていると判断すると、照明負荷１０の過負荷状態を報知するための報知部７に報知動作を行わせるように構成されている。
【００５３】
制御部２は、計測部５の計測結果から照明負荷１０が過負荷状態になっていると判断すると報知部７を動作させるので、照明負荷１０の点灯中に過負荷状態になるとユーザに通知することができる。
【００５４】
尚、本実施形態の計測部５は電流計測部５１と温度計測部５２とを備えているが、計測部５は電流計測部５１又は温度計測部５２の一方のみ備えていてもよい。
【００５５】
本実施形態における電流計測部５１（計測部５）は、照明負荷１０に流れる電流Ｉ１の電流値を計測するように構成されている。制御部２は、電流Ｉ１の電流値（電流値情報ＳＮ１１）が所定の規定電流値を超えると照明負荷１０が過負荷状態になっていると判断するように構成されている。照明負荷１０が過負荷状態に近づくにつれて照明負荷１０に流れる電流Ｉ１の電流値が大きくなるので、電流Ｉ１の電流値を計測することにより、照明負荷１０が過負荷状態になっているか否かを判断することができる。
【００５６】
本実施形態における温度計測部５２（計測部５）は、調光回路３２の回路素子の温度を計測するように構成されている。制御部２は、回路素子の温度が所定の規定温度（温度情報ＳＮ１２）を超えると照明負荷１０が過負荷状態になっていると判断するように構成されている。照明負荷１０が過負荷状態に近づくにつれて照明負荷１０に流れる電流が増加し、調光回路３２の温度が高くなるので、調光回路３２の温度を計測することにより、照明負荷１０が過負荷状態になっているか否かを判断することができる。
【００５７】
本実施形態の照明システムは、コントローラ１１と、調光装置１と、調光装置１によって制御される照明負荷１０と、報知装置１３とを備えている。コントローラ１１は、通信線Ｌ１に電気的に接続されている。報知装置１３は、通信線Ｌ１に電気的に接続されていて報知動作を行う。調光装置１は、照明負荷１０が過負荷状態になっていると判断するとコントローラ１１に報知信号ＳＮ２を送信する。コントローラ１１は、報知信号ＳＮ２を受信すると、報知動作を行わせる制御信号を報知装置１３に送信して、報知装置１３に報知動作を行わせるように構成されている。調光装置１は、通信線Ｌ１を介して照明負荷１０の過負荷状態をコントローラ１１に知らせるので、調光装置１の設置場所に関わらずコントローラ１１は照明負荷１０の過負荷状態を知ることができる。また、例えば建物内に設置されている各種機器の監視を集中的に行う監視室等に報知装置１３を設置することにより、監視室にいるユーザはどこに設置されている照明負荷が過負荷状態になったかを知ることができる。
【００５８】
ここで、照明負荷１０が過負荷状態になったときに、報知部７及び報知装置１３による報知動作に加えて、さらに別の報知動作を行うように構成されている制御部２を備えている調光装置１を、本実施形態の変形例１として説明する。尚、変形例１における調光装置１の構成は本実施形態の調光装置１の構成と同様であるため、その構成の説明を省略する。また、変形例１における調光装置１の動作は、以下で説明する制御部２の動作を除いて本実施形態の調光装置１の動作と同様であるため、その動作の説明を省略する。
【００５９】
変形例１の制御部２は、照明負荷１０が過負荷状態であると判断すると、照明負荷１０を点灯状態と消灯状態とに交互に切り替えさせる。すなわち制御部２は、照明負荷１０を点滅させてユーザに過負荷状態を知らせる。尚、ユーザに過負荷状態を知らせる方法は、照明負荷１０を点灯状態と消灯状態とに交互に切り替えることに限定されず、例えば完全に消灯させずに照明負荷１０の明るさを明るくしたり暗くしたりする方法であってもよい。
【００６０】
以上説明したように、変形例１の調光装置１における制御部２は、照明負荷１０が過負荷状態になっていると判断すると、リレー駆動部４１を制御してリレー４２のオン／オフ状態を交互に切り替えさせて照明負荷１０を点滅させるように構成されている。照明負荷１０を点滅させる（明るさを周期的に変える）ことによりユーザに過負荷状態を知らせることができる。
【００６１】
さらに、照明負荷１０が過負荷状態になったときに、変形例１で説明した報知動作に加えて、さらに別の報知動作を行うように構成されている制御部２を備えている調光装置１を、本実施形態の変形例２として説明する。尚、変形例２における調光装置１の構成は変形例１の調光装置１の構成と同様であるため、その構成の説明を省略する。また、変形例２における調光装置１の動作は、以下で説明する制御部２の動作を除いて変形例１の調光装置１の動作と同様であるため、その動作の説明を省略する。
【００６２】
変形例２の制御部２は、照明負荷１０が過負荷状態であると判断すると、報知動作を行った後に、照明負荷１０が過負荷状態にならない所定の第１調光レベルで調光点灯させるように構成されている。ここでいう所定の第１調光レベルは、照明負荷１０が過負荷状態となるときの調光レベルよりも低い調光レベルであればよく、照明負荷１０が設置される施工現場に応じて任意に決定されてもよい。
【００６３】
制御部２は、照明負荷１０が過負荷状態であると判断すると、ユーザが照明負荷１０の調光レベルを上げる操作をしても、照明負荷１０が過負荷状態にならない所定の第２調光レベルに制限する。ここでいう所定の第２調光レベルは、照明負荷１０が過負荷状態となるときの調光レベルよりも低い調光レベルであればよく、照明負荷１０が設置される施工場所に応じて任意に決定されてもよい。また第２調光レベルは、第１調光レベルと同じ調光レベルでもよいし、第１調光レベルよりも低い調光レベルでもよい。
【００６４】
変形例２において変形例１と異なる点は、照明負荷１０が過負荷状態になった際に第１調光レベルに調光レベルを下げて、さらに調光レベルの上限を第２調光レベルに制限できる点である。照明負荷１０が過負荷状態にならないように調光レベルが制限されていても、ユーザは第２調光レベルまで調光レベルを上げることができるので、照明負荷１０の過負荷状態が抑制されていてもユーザは照明負荷１０を調光点灯させて使用することができる。
【００６５】
以上説明したように、変形例２の調光装置１における制御部２は、照明負荷１０が過負荷状態になっていると判断すると、調光回路駆動部３１を制御して、照明負荷１０が過負荷状態にならない所定の第１調光レベルで調光点灯させるように構成されている。照明負荷１０が過負荷状態になっても制御部２が過負荷状態にならない所定の第１調光レベルまで調光レベルを下げるので、照明負荷１０の過負荷状態が続くことを抑制する。
【００６６】
制御部２は、照明負荷１０が過負荷状態になっていると判断すると、調光レベルの上限を、照明負荷１０が過負荷状態にならない所定の第２調光レベルに制限するように構成されている。照明負荷１０の過負荷状態が抑制されていてもユーザは照明負荷１０を第２調光レベルまで調光点灯させて使用することができる。
【００６７】
尚、変形例２の制御部２は、変形例１の動作と組み合わせた動作を行うように構成されていてもよい。例えば、照明負荷１０が過負荷状態になった際に、照明負荷１０を所定の期間点滅させるか又は所定の回数点滅させたのちに第１調光レベルに調光レベルを下げて、さらに調光レベルの上限を第２調光レベルに制限するように制御部２が構成されていてもよい。
【符号の説明】
【００６８】
１  調光装置
１０，１０１〜１０３  照明負荷
１１  コントローラ
１２  操作装置
１３  報知装置
２  制御部
３１  調光回路駆動部
３２  調光回路
４１  リレー駆動部
４２  リレー
５  計測部
５１  電流計測部
５２  温度計測部
７  報知部
８  通信部
Ｌ１  通信線
ＳＮ１  調光信号
ＳＮ２  報知信号
ＳＮ１１  電流値情報
ＳＮ１２  温度情報
【図１】
2015173029.tif 000003
【図２】
2015173029.tif 000004
【図３】
2015173029.tif 000005